【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
開口部が形成された装置本体と、
シートに画像を形成する画像形成部と、
前記画像形成部によって画像が形成されたシートを前記装置本体の内部に収容する複数の収容部と、
前記収容部に収容されたシートを移動させ、前記シートの一部が前記装置本体の内部にあり、前記シートが前記開口部から前記装置本体の外部に露出した露出状態で前記シートを停止させるシート移動手段と、を有する画像形成装置において、
前記複数の収容部のうちの第１の収容部に収容された第１のシートと、前記複数の収容部のうちの前記第１の収容部とは異なる第２の収容部に収容された第２のシートを接触させて前記開口部から露出させる場合であって、前記露出状態となるまで前記第１のシートを移動させる距離と前記第２のシートを移動させる距離が異なる場合、前記シート移動手段は、前記第１のシートを移動させる距離と前記第２のシートを移動させる距離に基づいて、前記第１のシートと前記第２のシートの移動を開始させるタイミング、又は前記第１のシートと前記第２のシートを移動させる速度を制御することを特徴とする画像形成装置。
【請求項２】
前記シート移動手段は、前記第１のシートを移動させる距離が前記第２のシートを移動させる距離よりも長い場合、前記第１のシートの移動を開始させるタイミングを前記第２のシートの移動を開始させるタイミングよりも早くすることを特徴とする請求項１に記載の画像形成装置。
【請求項３】
前記シート移動手段は、前記第１のシートを移動させる距離が前記第２のシートを移動させる距離よりも長い場合、前記第１のシートを移動させる速度を前記第２のシートを移動させる速度よりも速くすることを特徴とする請求項１に記載の画像形成装置。
【請求項４】
前記シート移動手段は、前記第１のシートの搬送方向における長さと前記第２のシートの搬送方向における長さに基づいて、前記第１のシートと前記第２のシートの移動を開始させるタイミング、又は前記第１のシートと前記第２のシートを移動させる速度を制御することを特徴とする請求項１乃至３のいずれか１項に記載の画像形成装置。
【請求項５】
前記シート移動手段は、前記第１のシートを前記開口部から露出させる長さと前記第２のシートを前記開口部から露出させる長さに基づいて、前記第１のシートと前記第２のシートの移動を開始させるタイミング、又は前記第１のシートと前記第２のシートを移動させる速度を制御することを特徴とする請求項１乃至３のいずれか１項に記載の画像形成装置。
【請求項６】
前記シート移動手段は、前記第１の収容部のシートの搬送方向における上流位置から前記開口部までの距離と前記第２の収容部のシートの搬送方向における上流位置から前記開口部までの距離に基づいて、前記第１のシートと前記第２のシートの移動を開始させるタイミング、又は前記第１のシートと前記第２のシートを移動させる速度を制御することを特徴とする請求項１乃至３のいずれか１項に記載の画像形成装置。
【請求項７】
開口部が形成された装置本体と、
シートに画像を形成する画像形成部と、
前記画像形成部によって画像が形成されたシートを前記装置本体の内部に収容する複数の収容部と、
前記収容部に収容されたシートを移動させ、前記シートの一部が前記装置本体の内部にあり、前記シートが前記開口部から前記装置本体の外部に露出した露出状態で前記シートを停止させるシート移動手段と、を有する画像形成装置において、
前記複数の収容部のうちの第１の収容部に収容された第１のシートと、前記複数の収容部のうちの前記第１の収容部とは異なる第２の収容部に収容された第２のシートを接触させて前記開口部から露出させる場合であって、前記露出状態となるまで前記第１のシートを移動させる距離と前記第２のシートを移動させる距離が異なる場合、前記シート移動手段は、前記第１のシートと前記第２のシートを移動させ、前記第１のシートと前記第２のシートが接触する前に、前記開口部から露出する長さに応じた位置で前記第１のシートと前記第２のシートを一時停止させ、前記第１のシートと前記第２のシートの移動を再開することを特徴とする画像形成装置。
【請求項８】
前記シート移動手段は、少なくとも前記第１のシートと前記第２のシートが接触した時点から、同じ速度で且つ同じ時間、前記第１のシートと前記第２のシートを移動させ、前記露出状態で停止させることを特徴とする請求項１乃至７のいずれか１項に記載の画像形成装置。
【請求項９】
前記シート移動手段は、少なくとも前記第１のシートと前記第２のシートが接触した時点から、前記第１のシートと前記第２のシートの速度差によって生じる、前記第１のシートによる前記第２のシートの押し出しの長さ、又は前記第２のシートによる前記第１のシートの押し出しの長さが所定の範囲に収まるように、前記第１のシートと前記第２のシートを異なる速度で移動させ、前記露出状態で停止させることを特徴とする請求項１乃至７のいずれか１項に記載の画像形成装置。
【請求項１０】
前記シート移動手段は、少なくとも前記第１のシートと前記第２のシートが接触した時点から、前記第１のシートと前記第２のシートが移動している時間の差によって生じる、前記第１のシートによる前記第２のシートの押し出しの長さ、又は前記第２のシートによる前記第１のシートの押し出しの長さが所定の範囲に収まるように、前記第１のシートと前記第２のシートを異なる時間、移動させ、前記露出状態で停止させることを特徴とする請求項１乃至７のいずれか１項に記載の画像形成装置。
【請求項１１】
前記第２のシートの枚数が多くなるにしたがって、前記第２のシートによる前記第１のシートの押し出しの長さが長くなることを特徴とする請求項９又は１０に記載の画像形成装置。
【請求項１２】
前記第１のシートが普通紙である時の前記第２のシートによる前記第１のシートの押し出しの長さよりも、前記第１のシートが薄紙である時の前記第２のシートによる前記第１のシートの押し出しの長さの方が短いことを特徴とする請求項９又は１０に記載の画像形成装置。
【請求項１３】
シートに画像を形成する画像形成装置に対して装着可能なシート収容装置において、
開口部が形成された装置本体と、
前記画像が形成されたシートを前記装置本体の内部に収容する複数の収容部と、
前記収容部に収容されたシートを移動させ、前記シートの一部が前記装置本体の内部にあり、前記シートが前記開口部から前記装置本体の外部に露出した露出状態で前記シートを停止させるシート移動手段と、を有し、
前記複数の収容部のうちの第１の収容部に収容された第１のシートと、前記複数の収容部のうちの前記第１の収容部とは異なる第２の収容部に収容された第２のシートを接触させて前記開口部から露出させる場合であって、前記露出状態となるまで前記第１のシートを移動させる距離と前記第２のシートを移動させる距離が異なる場合、前記シート移動手段は、前記第１のシートを移動させる距離と前記第２のシートを移動させる距離に基づいて、前記第１のシートと前記第２のシートの移動を開始させるタイミング、又は前記第１のシートと前記第２のシートを移動させる速度を制御することを特徴とするシート収容装置。
【請求項１４】
シートに画像を形成する画像形成装置に対して装着可能なシート収容装置において、
開口部が形成された装置本体と、
前記画像が形成されたシートを前記装置本体の内部に収容する複数の収容部と、
前記収容部に収容されたシートを移動させ、前記シートの一部が前記装置本体の内部にあり、前記シートが前記開口部から前記装置本体の外部に露出した露出状態で前記シートを停止させるシート移動手段と、を有し、
前記複数の収容部のうちの第１の収容部に収容された第１のシートと、前記複数の収容部のうちの前記第１の収容部とは異なる第２の収容部に収容された第２のシートを接触させて前記開口部から露出させる場合であって、前記露出状態となるまで前記第１のシートを移動させる距離と前記第２のシートを移動させる距離が異なる場合、前記シート移動手段は、前記第１のシートと前記第２のシートを移動させ、前記第１のシートと前記第２のシートが接触する前に、前記開口部から露出する長さに応じた位置で前記第１のシートと前記第２のシートを一時停止させ、前記第１のシートと前記第２のシートの移動を再開することを特徴とするシート収容装置。
【手続補正２】
【補正対象書類名】明細書
【補正対象項目名】０００７
【補正方法】変更
【補正の内容】
【０００７】
上記の目的を達成するための本発明の画像形成装置は、開口部が形成された装置本体と、シートに画像を形成する画像形成部と、前記画像形成部によって画像が形成されたシートを前記装置本体の内部に収容する複数の収容部と、前記収容部に収容されたシートを移動させ、前記シートの一部が前記装置本体の内部にあり、前記シートが前記開口部から前記装置本体の外部に露出した露出状態で前記シートを停止させるシート移動手段と、を有する画像形成装置において、前記複数の収容部のうちの第１の収容部に収容された第１のシートと、前記複数の収容部のうちの前記第１の収容部とは異なる第２の収容部に収容された第２のシートを接触させて前記開口部から露出させる場合であって、前記露出状態となるまで前記第１のシートを移動させる距離と前記第２のシートを移動させる距離が異なる場合、前記シート移動手段は、前記第１のシートを移動させる距離と前記第２のシートを移動させる距離に基づいて、前記第１のシートと前記第２のシートの移動を開始させるタイミング、又は前記第１のシートと前記第２のシートを移動させる速度を制御することを特徴とする。